(57)【要約】      （修正有）【課題】レンズカバーを閉じた状態で投写を行ってもレンズカバーが熱により破損せず、状況によってはレンズカバーを閉じた状態でも投写ができる画像投影装置を提供する。【解決手段】光源と、投写レンズ４１を保護するレンズカバー６０と、レンズカバー６０の開閉を検知するレンズカバー検知部（開閉センサ５１、被検知部５２）と、を備えた。そして、レンズカバー６０の開閉に連動して光源のオン・オフが行えるように構成するとともに、レンズカバー６０を透明な材料から構成した。【選択図】図３
2016177143.tif 000002
【特許請求の範囲】
【請求項１】
画像を投写するための光源と、投写レンズを保護するレンズカバーと、該レンズカバーの開閉を検知するレンズカバー検知部とを備える画像投写装置であって、
前記レンズカバーの開閉に連動した前記光源のオン・オフと、前記レンズカバーの開閉に連動しない前記光源のオン・オフとが可能で、
前記レンズカバーの少なくとも一部が透明であることを特徴とする画像投写装置。
【請求項２】
請求項１に記載の画像投写装置において、
前記光源として個体光源を用いていることを特徴とする画像投影装置。
【請求項３】
請求項１又は２に記載の画像投写装置において、
前記レンズカバーが閉じたら前記光源をオフにし、開けられたらオンに戻すことを特徴とする画像投写装置。
【請求項４】
請求項１乃至３のいずれか一に記載の画像投写装置において、
特定の条件下においては、前記レンズカバーが閉じた状態でも画像を投写することを特徴とする画像投写装置。
【請求項５】
請求項１乃至４のいずれか一に記載の画像投写装置において、
前記レンズカバーが開けられてから、所定時間経過後に前記光源を点灯させることを特徴とする画像投写装置。
【請求項６】
請求項１乃至４のいずれか一に記載の画像投写装置において、
前記レンズカバーが開けられてから、前記光源を点灯させるとき、徐々に明るくすることを特徴とする画像投写装置。
【請求項７】
請求項１乃至５のいずれか一に記載の画像投写装置において、
前記レンズカバーの一部が透明で、他の部分が遮光されていることを特徴とする画像投写装置。
【請求項８】
請求項４に記載の画像投写装置において、
前記特定の条件下とは、前記レンズカバーが閉まった状態で、当該画像投写装置の電源が入れられたことを指すことを特徴とする画像投写装置。
【請求項９】
請求項４に記載の画像投写装置において、
前記特定の条件下とは、前記レンズカバーが閉じられ前記光源がオフになっている時間が、一定の時間以上経過したときを指すことを特徴とする画像投写装置。
【発明の詳細な説明】
【技術分野】
【０００１】
本発明は、画像を投写する画像投写装置に関するものである。
【背景技術】
【０００２】
従来から、プロジェクタ等の画像投写装置の投写レンズに傷や汚れ等がつかないよう保護するために、画像投写装置の未使用時にはレンズカバーをとりつけて保管、持ち運びがよくされている。なかでも、レンズカバーを画像投写装置本体に組み込み、スライドされることでレンズを覆う、覆わない、の選択が可能な仕組みをもつ画像投写装置が知られている。
【０００３】
例えば、特許文献１には、開閉可能な投写光を遮光するレンズカバーと、レンズカバーの開閉状態を検知する検知手段を備え、検知手段の出力に応じて画像投写装置の光源の光量を制御する構成が記載されている。
具体的には、レンズカバーの開閉状態が、投写レンズ前面を覆わずに開放している開状態、投写レンズ前面の半分以上等一部を覆う待機状態又は一時休止状態、及び投写レンズ前面をほぼ完全に覆って投写光の全てを遮光する閉状態のいずれの状態にあるか判断する。そして、開状態では、通常の画像投写を行う光量とし、待機状態又は一時休止状態では通常の画像投写を行う場合よりも光源の光量を低減し、閉状態では光源をオフに（消灯）する。
そして、上述したように光量を制御することで、画像投写装置内の各装置（部）の温度上昇を抑制して、これらの熱による寿命低下を抑制するとともに、投写レンズを保護できる旨、記載されている。
【発明の概要】
【発明が解決しようとする課題】
【０００４】
レンズカバーの開閉状態に応じて光源の光量を制御する画像投写装置では、レンズカバーで遮光する投写光を低減したり、光源をオフにしたりできるので、レンズカバーの発熱を抑制して、温度上昇によるレンズカバーの破損を防げるものと考えられる。
しかし、従来の画像投写装置では、レンズカバーを閉じたまま画像投写装置の電源を入れてしまうことで、光源がオンにならず、例え光源をオンにしてもレンズカバーに遮光されて、利用者がなぜ画像（光）を投写できないのか戸惑うおそれがあった。
【課題を解決するための手段】
【０００５】
上述した課題を解決するために、請求項１に記載の発明は、画像を投写するための光源と、投写レンズを保護するレンズカバーと、該レンズカバーの開閉を検知するレンズカバー検知部とを備える画像投写装置であって、前記レンズカバーの開閉に連動した前記光源のオン・オフと、前記レンズカバーの開閉に連動しない前記光源のオン・オフとが可能で、前記レンズカバーの少なくとも一部が透明であることを特徴とする。
【発明の効果】
【０００６】
本発明によれば、レンズカバーを閉じた状態で投影を行ってもレンズカバーが熱により破損せず、状況によってはレンズカバーを閉じた状態でも投写ができる画像投影装置を提供できる。
【図面の簡単な説明】
【０００７】
【図１】一実施形態に係る画像投写装置１の主な構成を示すハードウェア構成図。
【図２】光学エンジン部５の説明図。
【図３】実施例１のレンズカバーの説明図。
【図４】実施例２のレンズカバーの説明図。
【発明を実施するための形態】
【０００８】
以下、本発明を適用した画像表示装置として、画像投写装置（以下、画像投写装置１という。）の一実施形態について、図を用いて説明する。
図１は、本実施形態に係る画像投写装置１の主な構成を示すハードウェア構成図である。
【０００９】
図１に示すように、画像投写装置（プロジェクタ）１は、主に、制御装置１０、光源２１を構成するＬＥＤ２２、光源駆動部２０、光変調素子３０、投写部４０、レンズカバー検知部５０、及びレンズカバー６０から成る。
【００１０】
制御装置１０は、例えばＣＰＵ、ＲＡＭやＲＯＭなどの記憶装置、インターフェース部などで構成されている。制御装置１０は、画像投写装置１の制御の中心を担い、例えば、外部接続部から入力した画像の解析、投写部４０に出力するための画像処理等を行う。
【００１１】
光源２１を構成するＬＥＤ２２は個体光源であり、赤色のＬＥＤ２２Ｒ、緑色のＬＥＤ２２Ｇ、青色のＬＥＤ２２Ｂを有しており、投入電力により明るさが変化する（図２参照）。
画像投写装置１では、この光源２１にＬＥＤ（light emitting diode）を用いているが、瞬間的に光源の点灯、消灯が可能な光源であれば、ＬＤ（Laser Diode）等を用いても構わない。
そして、これらのような固体光源を用いることで、光源２１のオン・オフを瞬時に行うことができる。
【００１２】
光変調素子３０は、光源２１から出射される光の強度を変調して画像を形成する。
画像投写装置１では、この光変調素子３０としてデジタルミラーデバイス（ＤＭＤ）を用いている。
【００１３】
投写部４０は、詳しくは後述するが、光変調素子３０により形成された画像を、スクリーン等の被投写面に拡大投写するものである。
【００１４】
レンズカバー検知部５０は、レンズカバー６０が開いた状態か閉じた状態かを検知するものである。
【００１５】
レンズカバー６０は、投写部４０に有した複数のレンズの内、画像投写装置１の筐体２から外側に露出する投写レンズ４１を覆って保護するものであり、投写レンズ４１を覆う閉じた状態と露出させる開いた状態にスライド可能に設けられている。（図３、図４参照）
【００１６】
次に、光源２１、光源駆動部２０、光変調素子３０、及び投写部４０からなる光学エンジン部５について、図を用いて説明する。
図２は、光学エンジン部５の説明図である。
【００１７】
図２に示すように、光源２１には、Ｒ（赤）、Ｇ（緑）、Ｂ（青）の３色のＬＥＤ２２Ｒ、ＬＥＤ２２Ｇ、ＬＥＤ２２Ｂを用いている。
そして、各ＬＥＤ２２から発せられた光はダイクロイックフィルタ２５により合成され、レンズを複数枚通過した後、ライトトンネル（ＬＴ）２２を通過し光が均一化される。
その後、リレーレンズ４３、平面ミラー４４、凹面ミラー４５等の複数のミラーを用いて光を反射し、光変調素子３０としてのデジタルミラーデバイス（ＤＭＤ）３１に光を入射させる。
【００１８】
デジタルミラーデバイス３１では入力信号に応じてミラーのＯＮ／ＯＦＦを切り替えることで投写部（投写ユニット）へ光を出力する光を選別する。
この選別により入力信号に応じた画像が形成され、投写レンズ４１により、形成された画像光がスクリーン等の被投写面へと投写され、投写画像となる。
なお、画像投写装置１では、デジタルミラーデバイスを用いているが、液晶、ＬＣＯＳ方式の光学系にも適用可能である。
【００１９】
ここで、従来の開閉可能なレンズカバーを備える画像投写装置では、画像投写装置の電源を入れたままレンズカバーを閉めてしまうことによりレンズカバーに投写光が集中して当たり、熱により破損してしまうという問題があった。また、レンズカバーを閉めたまま画像投写装置の電源を入れてしまうことで、利用者がなぜ画像（光）がスクリーン等の被投写面に投写されないのか戸惑ってしまうという問題もあった。
【００２０】
一方、特許文献１には、投写レンズを遮光状態にして保護する開閉可能なレンズカバーと、レンズカバーの開閉を検知する検知手段を備え、検知手段の出力に応じて画像投写装置の光源の光量を制御する構成が記載されている。この構成であれば、画像投写装置の起動中に閉じられたレンズカバーの発熱を抑制して、温度上昇によるレンズカバーの破損を防げるものと考えられる。
しかし、従来の開閉可能なレンズカバーを備える画像投写装置では、レンズカバーを閉じたまま画像投写装置の電源を入れてしまうことで、利用者がなぜ画像（光）がスクリーン等の被投写面に投写ができないのか戸惑う場合があった。
【００２１】
そこで、発明者らは、レンズカバーが閉じられた状態で投影を行ってもレンズカバーが熱により破損せず、状況によってはレンズカバーを閉じた状態でも投写できないか検討した。
以下に、発明者らが検討して得た、レンズカバーが閉じられた状態で投影を行ってもレンズカバーが熱により破損せず、状況によってはレンズカバーを閉じた状態でも投写できるレンズカバーの構成の例について、複数の実施例を挙げて説明する。
【００２２】
（実施例１）
本実施形態の画像投写装置１に備えるレンズカバー６０の実施例１について、図を用いて説明する。
図３は、本実施例のレンズカバー６０の説明図であり、図３（ａ）がレンズカバー６０を閉じた状態、図３（ｂ）がレンズカバー６０を開いた状態を示している。
ここで、図３では、レンズカバー６０の開閉状態が分かり易くなるように、レンズカバーを半透明状態で表現しているが、レンズカバー６０全体を透明な材量から構成している。
【００２３】
図３（ａ）、（ｂ）に示すように、画像投写装置１の筐体２に対して投写レンズ４１を保護するレンズカバー６０をスライド可能に設けており、投写レンズ４１が投写口を介して外部に露出する開状態と、覆う閉状態とに切り替えることができる。
また、図３（ａ）、（ｂ）の図中、投写レンズ４１の左側近傍の筐体２には、レンズカバー検知部５０に接続された開閉センサ５１が設けられている。また、レンズカバー６０には、開閉センサ５１の被検知部５２が設けられており、図３（ａ）に示すようにレンズカバー６０が完全に閉じられたときのみ閉状態と検知し、図３（ｂ）に示すように移動して開かれた状態では開状態と検知する。
【００２４】
本実施例の制御装置１０では、レンズカバー６０の開閉に連動した光源２１のオン・オフと、レンズカバー６０の開閉に連動しない光源２１のオン・オフとが可能である。
そして、本実施例のレンズカバー６０ではレンズカバーを閉じた状態でもレンズカバー６０全体が透明であるため投写レンズ４１を見ることが可能である。その効果により、特定の条件下においてはレンズカバーを閉じた状態でも投写レンズ４１から光を投写可能となっている。
【００２５】
すなわち、通常時には、レンズカバー６０の開閉に連動して、レンズカバー６０が閉じられたときに光２１源を消灯することができる。そして、状況によっては、レンズカバー６０の開閉に連動せずに、レンズカバー６０が閉じられた状態であっても光源２１をオンにしてレンズカバー６０から画像投写を行うことができる。
また、投写光を透過させて温度の上昇を低減できるため、例え閉じた状態で画像投写を行ってもレンズカバー６０が熱により破損することを防げる。
よって、レンズカバー６０を閉じた状態で投写を行ってもレンズカバー６０が熱により破損せず、状況によってはレンズカバーを閉じた状態でも投写ができる画像投影装置を提供できる。
【００２６】
また、通常時は、レンズカバー６０が閉じたら前記光源２１をオフにし、開けられたらオンに戻すように構成している。
このように構成することで、レンズカバー６０が透明でも閉めた時に画像投写装置１から光が出ないようにすることができ、かつ、レンズカバー６０が熱くなるのを防ぐことができる。
また、特定の条件下においては、レンズカバー６０が閉じた状態でも画像投写するように構成することができる。これにより、レンズカバーが透明であることにより、いつでもユーザへの注意喚起等の画像投写を行うことができる。
【００２７】
ここで、上記特定の条件とは、例えば、レンズカバー６０が閉まった状態で、画像投写装置の１電源が入れられたときを挙げることができる。このように構成することで、レンズカバー６０が閉まっていることをユーザに通知できる。
また、レンズカバー６０が閉じられ光源２１がオフになっている時間が、例えば１０分以上経過したときを挙げることができる。このように構成することで、光源２１を消してしまうと画像投写装置１の電源が入れられていることが分からなくなりがちだが、まだ画像投写装置１の電源が入れられていることをユーザに通知できる。
【００２８】
また、光源２１の点灯については、例えば、レンズカバー６０が開けられてから、例えば１秒後に前記光源を点灯させるように構成することができる。このように構成することで、レンズカバー６０を開けるユーザが、突然、強い光を見てしまうことを予防できる。
また、レンズカバー６０が開けられてから、光源２１を点灯させるとき、徐々に明るくするように構成することもできる。このように構成することで、ユーザが、突然、強い光を見てしまうことを予防できる。
【００２９】
（実施例２）
次に、本実施形態の画像投写装置１に備えるレンズカバー６０の実施例２について、図を用いて説明する。
図４は、本実施例のレンズカバー６０の説明図であり、図４（ａ）がレンズカバー６０を閉じた状態、図４（ｂ）がレンズカバー６０を開いた状態を示している。
なお、本実施例のレンズカバー６０に係る構成と、実施例１のレンズカバーに係る構成とでは、本実施例のレンズカバー６０の半分が透明で、残り半分が不透明であることに係る点のみ異なる。したがって、実施例１と同一又同様な構成や、その作用・効果については、適宜、省略して説明するとともに、特に区別する必要が無い限り、同一又同様な構成部材には、同一の符号を付して説明する。
【００３０】
図４に示すように、図３に示した実施例１のものとは異なり、レンズカバー６０の一部が不透明となっており光を遮断（遮光）する構造となっている。
その影響で、閉じた際の遮光効果を高めつつ、状況によっては透明部分を利用してレンズカバーを閉じたままの投写が可能となっている。例えば、必要なメッセージのみを投写し、それ以外の所に画像（光）が投写されないようにできる。
図４では、下半分である下部６１が透明、上半分である上部６２が不透明であるレンズカバー６０となっているが、透明部分と不透明部分の割合、位置関係はこれに限らない。
【００３１】
このように構成することで、開閉可能なレンズカバー６０の下部６１に透明な材料を用い、その開閉に応じて光源を制御することができる。
そして、通常時には、レンズカバー６０が閉じられたことを検知し光源２１を消灯するが、レンズカバー６０の下部６１に透明な材料を用いているので、状況によっては、レンズカバー６０が閉じられた状態であっても、下部６１からの投写が可能である。
また、投写光を透過させて温度の上昇を低減することと、投写光を遮光して温度が上昇する面積を減らすことができるため、例え閉じた状態で画像投写を行ってもレンズカバー６０が熱により破損することを防げる。
よって、レンズカバー６０を閉じた状態で投写を行ってもレンズカバー６０が熱により破損せず、状況によってはレンズカバー６０を閉じた状態でも投写ができる画像投写装置１を提供できる。
【００３２】
以上に説明したものは一例であり、本発明は、次の態様毎に特有の効果を奏する。
（態様Ａ）
画像を投写するための光源２１などの光源と、投写レンズ４１などの投写レンズを保護するレンズカバー６０などのレンズカバーと、該レンズカバーの開閉を検知するレンズカバー検知部５０などのレンズカバー検知部とを備える画像投写装置１などの画像投写装置であって、前記レンズカバーの開閉に連動した前記光源のオン・オフと、前記レンズカバーの開閉に連動しない前記光源のオン・オフとが可能で、前記レンズカバーの少なくとも一部が透明であることを特徴とする。
【００３３】
これによれば、本実施形態で説明したように、次のような効果を奏することができる。
通常時には、レンズカバーの開閉に連動して、レンズカバーが閉じられたときに光源を消灯することができる。そして、状況によっては、レンズカバーの開閉に連動せずに、レンズカバーが閉じられた状態であっても光源をオンにしてレンズカバーの透明な部分から画像投写を行うことができる。
また、投写光を透過させて温度の上昇を低減すること、又は投写光を遮光して温度が上昇する面積を減らすことができるため、例え閉じた状態で画像投写を行ってもレンズカバーが熱により破損することを防げる。
よって、レンズカバーを閉じた状態で投写を行ってもレンズカバーが熱により破損せず、状況によってはレンズカバーを閉じた状態でも投写ができる画像投影装置を提供できる。
【００３４】
（態様Ｂ）
（態様Ａ）において、前記光源としてＬＥＤ２２などの個体光源を用いていることを特徴とする。
これによれば、本実施形態で説明したように、光源のオン・オフを瞬時に行うことができる。
【００３５】
（態様Ｃ）
（態様Ａ）又は（態様Ｂ）において、前記レンズカバーが閉じたら前記光源をオフにし、開けられたらオンに戻すことを特徴とする。
これによれば、本実施形態で説明したように、光源をオフにすることで、レンズカバーが透明でも閉めた時に画像投写装置から光が出ないようにすることができ、かつ、レンズカバーが熱くなるのを防ぐことができる。
【００３６】
（態様Ｄ）
（態様Ａ）乃至（態様Ｃ）のいずれかにおいて、特定の条件下においては、前記レンズカバーが閉じた状態でも画像を投写することを特徴とする。
これによれば、本実施形態で説明したように、特定の条件下においては、レンズカバーが透明であることにより、いつでもユーザなどの利用者への注意喚起等の画像投写を行うことができる。
【００３７】
（態様Ｅ）
（態様Ａ）乃至（態様Ｄ）のいずれかにおいて、前記レンズカバーが開けられてから、１秒後などの所定時間経過後に前記光源を点灯させることを特徴とする。
これによれば、本実施形態で説明したように、レンズカバーを開けるユーザなどの利用者が、突然、強い光を見てしまうことを予防できる。
【００３８】
（態様Ｆ）
（態様Ａ）乃至（態様Ｄ）のいずれかにおいて、前記レンズカバーが開けられてから、前記光源を点灯させるとき、徐々に明るくすることを特徴とする。
これによれば、本実施形態で説明したように、利用者が、突然、強い光を見てしまうことを予防できる。
【００３９】
（態様Ｇ）
（態様Ａ）乃至（態様Ｅ）のいずれかにおいて、前記レンズカバーの下部６１などの一部が透明で、上部６２などの他の部分が遮光されていることを特徴とする。
これによれば、本実施形態で説明したように、必要なメッセージのみを投写し、それ以外の所に画像（光）が投写されないようにできる。
【００４０】
（態様Ｈ）
（態様Ｄ）において、前記特定の条件下とは、前記レンズカバーが閉まった状態で、当該画像投写装置の電源が入れられたことを指すことを特徴とする。
これによれば、本実施形態で説明したように、レンズカバーが閉まっていることを利用者に通知できる。
【００４１】
（態様Ｉ）
（態様Ｄ）において、前記特定の条件下とは、前記レンズカバーが閉じられ前記光源がオフになっている時間が、１０分などの一定の時間以上経過したときを指すことを特徴とする。
これによれば、本実施形態で説明したように、光源を消してしまうと画像投写装置の電源が入れられていることが分からなくなりがちだが、まだ画像投写装置の電源が入れられていることをユーザに通知できる。
【符号の説明】
【００４２】
１    画像投写装置
２    筐体
５    光学エンジン部
１０    制御装置
２０    光源駆動部
２１    光源
２２    ＬＥＤ（R,G,B）
２５    ダイクロイックフィルタ
３０    光変調素子
３１    デジタルミラーデバイス
４０    投写部
４１    投写レンズ
４３    リレーレンズ
４４    平面ミラー
４５    凹面ミラー
５０    レンズカバー検知部
５１    開閉センサ
５２    被検知部
６０    レンズカバー
６１    下部
６２    上部
【先行技術文献】
【特許文献】
【００４３】
【特許文献１】特許第３８９５０９０号公報
【図１】
2016177143.tif 000003
【図２】
2016177143.tif 000004
【図３】
2016177143.tif 000005
【図４】
2016177143.tif 000006